(57)【要約】【課題】幼い子供や手の不自由な身体障害者でも容易に完全な装着状態にすることができる係止具を提供することを課題とする。【解決手段】接触面１１の中央部に突起部１２が設けられている係止具１０は非磁性材料によって構成されている。接触面１１の裏側の面には永久磁石が配設されている。突起部１２の挿入が可能な透孔２２が形成されている係止具２０は、２体の部材２３，２４によって構成されている。また、係止具２０には永久磁石４０が配設されている。【選択図】　　　図２
2004041294.tif 000002
【特許請求の範囲】
【請求項１】
第１の接触面を有し当該第１の接触面の中央部に突起部が形成された非磁性材料からなる第１の係止手段であって、前記第１の接触面の裏側の面には永久磁石が配設されている第１の係止手段と、
該第１の係止手段の前記第１の接触面に当接する第２の接触面を有し、当該第２の接触面の中央部に前記突起部の挿入可能な挿入口が設けられた第２の係止手段であって、少なくともその一部分が磁性材料によって構成されている第２の係止手段とを具備することを特徴とする係止具。
【請求項２】
第１の接触面を有し、少なくともその一部分が磁性材料によって構成されている本体部材と、該本体部材の前記第１の接触面の中央部に固定された非磁性材料からなる突起部を構成する突起部材とを有する第１の係止手段と、
該第１の係止手段の前記第１の接触面に当接する第２の接触面を有し、当該第２の接触面の中央部に前記突起部の挿入可能な挿入口が設けられた第２の係止手段であって、少なくともその一部分が永久磁石によって構成されている第２の係止手段とを具備することを特徴とする係止具。
【請求項３】
前記第１の係止手段の前記突起部の側壁部には、屈折部を有する弾性的に変形可能なバネ材が、前記屈折部が頂点となり前記突起部の長手方向に延在するよう突設され、
前記第１の係止手段の前記突起部を前記第２の係止手段の前記挿入口に挿入して、前記第１の接触面と前記第２の接触面とを当接させた装着状態において、前記バネ材の前記屈折部が嵌合可能な溝部が前記挿入口の周壁部に設けられていることを特徴とする請求項１または請求項２に記載の係止具。
【請求項４】
前記挿入口は透孔であることを特徴とする請求項１ないし請求項３のいずれかの項に記載の係止具。
【請求項５】
前記第１の係止手段の前記突起部を前記第２の係止手段の前記透孔に挿入して、前記第１の接触面と前記第２の接触面とを当接させた装着状態において、前記突起部は前記透孔を貫通し、その先端部が前記第２の係止手段の外側に露出することを特徴とする請求項４に記載の係止具。
【発明の詳細な説明】
【０００１】
【発明の属する技術分野】
本発明は、衣服やバッグなどに使用される係止具に関するものである。
【０００２】
【従来の技術】
図８に示したような構成の所謂マグネットホックは、バッグの開閉止め具等として従来から広く用いられている。
【０００３】
図８に示したマグネットホックは、鉄等の磁性材料によって形成される２つの金具１，２によって構成されており、金具１には磁性材料からなる突起部１ａが形成され、金具２には突起部１ａの挿入が可能な凹部２ａが形成されている。
【０００４】
金具２の内部には、図９（ａ）に示したように永久磁石３が配設されており、この永久磁石３の磁力によって金具１と金具２との係止状態が維持されるように構成されている。
【０００５】
【発明が解決しようとする課題】
しかしながら、従来の所謂マグネットホックにおいては、金具２に金具１を装着しようとする際、金具１を金具２に近づけると、図９（ｂ）に示したように、永久磁石３の磁力によって金具１の突起部１ａが金具２の接触面２ｂに吸着してしまうことがある。一旦このような状態になると、金具２に吸着している金具１の位置を微妙に動かして突起部１ａを凹部２ａに挿入しなければならないために、幼い子供や手の不自由な身体障害者などには完全な装着状態にすることが困難になってしまうという問題があった。
【０００６】
本発明の目的は、幼い子供や手の不自由な身体障害者でも容易に完全な装着状態にすることができる係止具を提供することにある。
【０００７】
【課題を解決するための手段】
本発明によれば、第１に、第１の接触面を有し当該第１の接触面の中央部に突起部が形成された非磁性材料からなる第１の係止手段であって、前記第１の接触面の裏側の面には永久磁石が配設されている第１の係止手段と、該第１の係止手段の前記第１の接触面に当接する第２の接触面を有し、当該第２の接触面の中央部に前記突起部の挿入可能な挿入口が設けられた第２の係止手段であって、少なくともその一部分が磁性材料によって構成されている第２の係止手段とを具備することを特徴とする係止具を提供することができる。
【０００８】
本発明によれば、第２に、第１の接触面を有し、少なくともその一部分が磁性材料によって構成されている本体部材と、該本体部材の前記第１の接触面の中央部に固定された非磁性材料からなる突起部を構成する突起部材とを有する第１の係止手段と、該第１の係止手段の前記第１の接触面に当接する第２の接触面を有し、当該第２の接触面の中央部に前記突起部の挿入可能な挿入口が設けられた第２の係止手段であって、少なくともその一部分が永久磁石によって構成されている第２の係止手段とを具備することを特徴とする係止具を提供することができる。
【０００９】
【発明の実施の形態】
以下、図面を参照して本発明の実施形態について説明する。
【００１０】
（実施形態１）
図１は、本発明の実施形態１の構成を示す斜視図であり、図１（ａ）は第１の係止具１０と第２の係止具２０とが分離している状態を示しており、図１（ｂ）は第１の係止具１０を第２の係止具２０に装着した状態を示している。また、図２（ａ）は分離状態での断面図であり、図２（ｂ）は装着状態での断面図である。
【００１１】
図１および図２に示したように、装着時において係止具２０に当接する係止具１０の接触面１１の中央部には突起部１２が形成されており、係止具２０の接触面２１の中央部には突起部１２の挿入が可能な挿入口２２が形成されている。１３は係止具１０を衣服などに固定するための固定用部材である。
【００１２】
図２に示したように、係止具１０の接触面１１の裏側の面には永久磁石３０が配設されている。また、係止具２０の接触面２１の裏側の面には永久磁石４０が配設されている。
【００１３】
係止具２０は、接触面２１を有する部材２３とこれと螺合する部材２４との２体の部材によって構成されており、永久磁石４０は、部材２４の先端部と部材２３との間に固定されている。また、係止具１０の永久磁石３０は、係止具１０に螺合する雄ネジ１４を有する固定用部材１３と係止具１０とによって挾持されている。
【００１４】
ここで接触面１１と突起部１２とを有する係止具１０は、真鍮や合成樹脂等の非磁性材料によって構成されている。
【００１５】
また、本実施形態１においては、永久磁石４０を具えた係止具２０を構成する部材２３，２４の材料は、磁性材料、非磁性材料のどちらの材料でもよい。本実施形態１においては、係止具２０の少なくとも一部分を、装着状態において永久磁石３０の磁力により吸着可能な磁性材料で構成してあればよい。
【００１６】
以上のように構成された本実施形態１においては、図３に示したように係止具１０を係止具２０に近接させて突起部１２を係止具２０に接触させたとしても、突起部１２は係止具２０に吸着しないため、係止具１０または係止具２０を動かして突起部１２を挿入口２２に容易に挿入することができて、簡単に図１（ｂ）に示す装着状態にすることができる。
【００１７】
また、本実施形態１においては、挿入口２２が透孔となっているために、図１（ｂ）に示した装着状態においては、挿入口（透孔）２２を有する係止具２０の外側から突起部１２の先端部を視認することができるので、装着状態が完全であることを容易に確認することができる。
【００１８】
なお、図１（ｂ）および図２（ｂ）に示したように、装着状態において突起部１２が挿入口（透孔）２２を貫通し、その先端部が係止具２０の外側に露出するように突起部１２の長さを選んでおけば、この露出した突起部１２の先端部を押すことにより、係止具１０を係止具２０から容易に外すことができる。
【００１９】
以上説明した実施形態１においては、永久磁石３０，４０の吸着力によって装着状態が維持されるものである。
【００２０】
ここで、先に説明したように、係止具２０の部材２３または／および部材２４を磁性材料によって構成した場合には、係止具２０に永久磁石４０を配設しなくてもよい。
【００２１】
さらに、係止具２０に永久磁石４０を配設する構成とした場合には、図４に示したように、接触面１１を有する磁性材料からなる本体部材１０ａと、接触面１１の中央部に固定された非磁性材料からなる突起部を構成する突起部材１０ｂとによって係止具１０を構成してもよい。なお、本体部材１０ａはその全てを磁性材料で構成する必要はない。即ち、係止具２０に永久磁石を配設する構成とした場合には、この永久磁石に吸着する磁性材料を少なくともその一部に含む本体部材と、非磁性材料からなる突起部材とによって係止具１０を構成するようにしてもよい。
【００２２】
（実施形態２）
図５は本発明の実施形態２の構成を示す斜視図であり、図６（ａ）はその断面図である。また図６（ｂ）は装着状態における断面図である。
【００２３】
図５および図６（ａ），（ｂ）において図１および図２（ａ），（ｂ）と同一符号のものは同一のものを示している。
【００２４】
ここで、本実施形態２においては、突起部１２の側壁部に突出しているバネ材１５が設けてあり、挿入口２２の周壁部には、装着状態においてこのバネ材と嵌合する溝部２５が形成されている。
【００２５】
図７はバネ材１５の構成を示す拡大図である。図７に示すように、このバネ材１５は、屈折部１５ａを有する弾性的に変形可能なバネ材であり、屈折部１５ａが頂点となり、突起部１２の長手方向に延在するように配設されている。
【００２６】
このように構成された本実施形態２においては、装着状態においてバネ材１５の屈折部１５ａが、溝部２５に嵌合するので、装着時の係止力を実施形態１に比して強くすることができる。
【００２７】
【発明の効果】
以上説明したように本発明によれば、幼い子供や手の不自由な身体障害者でも容易に完全な装着状態にすることができる。
【図面の簡単な説明】
【図１】本発明の実施形態１の構成を示す斜視図である。
【図２】本発明の実施形態１の構成を示す断面図である。
【図３】本発明の実施形態１の説明図である。
【図４】本発明の実施形態１の説明図である。
【図５】本発明の実施形態２の構成を示す斜視図である。
【図６】本発明の実施形態２の構成を示す断面図である。
【図７】本発明の実施形態２の説明図である。
【図８】従来の係止具の構成図である。
【図９】従来の係止具の説明図である。
【符号の説明】
１０，２０　係止具
１０ａ　本体部材
１０ｂ　突起部材
１１，１２　接触面
１２　突起部
１３　固定用部材
１４　雄ネジ
１５　バネ材
１５ａ　屈折部
２２　挿入口
２３，２４　部材
２５　溝部
３０，４０　永久磁石
【図１】
2004041294.tif 000003
【図２】
2004041294.tif 000004
【図３】
2004041294.tif 000005
【図４】
2004041294.tif 000006
【図５】
2004041294.tif 000007
【図６】
2004041294.tif 000008
【図７】
2004041294.tif 000009
【図８】
2004041294.tif 000010
【図９】
2004041294.tif 000011